(57)【特許請求の範囲】
【請求項１】
撮像レンズおよび光学フィルタを支持する鏡筒と、上記鏡筒および固体撮像素子が固定された基板とを備え、
上記鏡筒に、該鏡筒の円筒部からなる第１の取り付け部及び光軸と垂直な方向に延びるリブが設けられており、さらにこのリブに第２の取り付け部が設けられており、
上記第１の取り付け部を撮像機器の筐体に設けられた第１の位置決め部に挿嵌して取り付けることによって、上記筐体に対して高さ方向と垂直な方向の位置決めがなされ、
上記第２の取り付け部を撮像機器の筐体に設けられた第２の位置決め部に挿嵌することによって、上記筐体に対して回転方向の位置決めがなされて
上記撮像機器に装着される
ことを特徴とする固体撮像装置。
【請求項２】
撮像レンズおよび光学フィルタを支持する鏡筒と、上記鏡筒および固体撮像素子が固定された基板とを備え、
上記鏡筒に、該鏡筒の円筒部からなる第１の取り付け部及び光軸と垂直な方向に延びるリブが設けられており、さらにこのリブに第２の取り付け部が設けられており、
上記第１の取り付け部を撮像機器の筐体にあらかじめ取り付けられた構造部品に設けられた第１の位置決め部に挿嵌して取り付けることによって、上記筐体に対して高さ方向と垂直な方向の位置決めがなされ、
上記第２の取り付け部を撮像機器の上記構造部品に設けられた第２の位置決め部に挿嵌することによって、上記筐体に対して回転方向の位置決めがなされて
上記撮像機器に装着される
ことを特徴とする固体撮像装置。
【請求項３】
上記リブに設けられる第２の取り付け部は、光軸と平行な方向に延びるピンである
ことを特徴とする請求項１又は２に記載の固体撮像装置。
【請求項４】
上記ピンが複数設けられており、
これらのピンを上記第２の位置決め部にそれぞれ挿嵌することによって、上記筐体に対して高さ方向と垂直な方向および回転方向の位置決めがなされる
ことを特徴とする請求項３に記載の固体撮像装置。
【請求項５】
上記リブに設けられる第２の取り付け部は、上記リブ自体であり、
該リブを上記第２の位置決め部に挟合させる
ことを特徴とする請求項１又は２に記載の固体撮像装置。
【請求項６】
上記リブが複数設けられており、
これらのリブを上記第２の位置決め部にそれぞれ挟合させることによって、上記筐体に対して高さ方向と垂直な方向および回転方向の位置決めがなされる
ことを特徴とする請求項５に記載の固体撮像装置。
【請求項７】
請求項１から６までのいずれかに記載の固体撮像装置を備えたことを特徴とする撮像機器。
【発明の詳細な説明】
【０００１】
【発明の属する技術分野】
本発明は、携帯電話機などの携帯情報端末に好適に適用される撮像機器に関するものである。
【０００２】
【従来の技術】
従来の撮像機器について、携帯電話機を例にとって説明する。従来の固体撮像装置付き携帯電話機では、固体撮像装置の固体撮像素子は、携帯電話機本体の回路基板（携帯電話機本体基板）に実装されており、固体撮像装置の鏡筒は、上記携帯電話機本体基板にネジ止めまたは接着によって固定されている。携帯電話機筐体には、カバーガラスが取り付けられており、このカバーガラスには、入射光を透過させる窓が形成されている。また、鏡筒には、上記入射光を固体撮像素子上に結像させる撮像レンズおよび光学フィルタが支持固定されている。
【０００３】
このような従来の固体撮像装置付き携帯電話機おいての固体撮像装置の鏡筒と携帯電話機筐体との光軸に垂直な方向の位置決め精度は、
（ａ）携帯電話機本体基板に対する固体撮像素子の実装精度
（ｂ）固体撮像素子に対する鏡筒の位置決め精度
（ｃ）携帯電話機本体基板においてのパターンと外形との位置精度
（ｄ）携帯電話機本体基板と携帯電話機筐体との位置決め精度
によって決まる。
【０００４】
鏡筒と携帯電話機筐体の位置精度が悪いために、撮像装置用に携帯電話機筐体に設けた窓を大きくする必要がある。
窓が大きくなることにより撮像装置へ余分な光が入り、画像性能が劣化するとともに、窓と鏡筒の位置ずれによる意匠性の劣化が生じる。
【０００５】
また、固体撮像装置の鏡筒と携帯電話機筐体との隙間の精度（光軸に平行な方向の位置決め精度）は、
（ｅ）携帯電話機本体基板に対する鏡筒の取り付け精度
（ｆ）携帯電話機本体基板と携帯電話機筐体との位置決め精度
によって決まる。
【０００６】
【発明が解決しようとする課題】
上記従来の固体撮像装置付き携帯電話機では、固体撮像装置の鏡筒と携帯電話機筐体との位置決め精度が上記（ａ）〜（ｆ）の要因によって決まるので、光軸に垂直な方向の位置決め精度についても、隙間（光軸に平行な方向の位置決め精度）についても、いずれも精度の良いものが得られない。
【０００７】
鏡筒と携帯電話機筐体との光軸に垂直な方向の位置精度が悪いために、鏡筒に支持固定されている撮像レンズと携帯電話機筐体に取り付けられているカバーガラスの窓の上記方向の位置精度も悪く、このために上記カバーガラスの窓を大きくする必要がある。カバーガラスの窓を大きくすることにより、固体撮像装置に余分な光が入射し、画像性能が劣化するとともに、窓と筐体の位置ずれによって意匠性が劣化するという問題が生じている。
【０００８】
また、鏡筒と携帯電話機筐体の隙間の精度が悪いために、固体撮像装置と携帯電話機筐体との隙間を大きくする必要があり、薄型化の進む携帯電話機において厚みを増すという問題が生じている。
【０００９】
このように、上記従来の固体撮像装置および固体撮像装置付き携帯電話機では、固体撮像装置の鏡筒を携帯電話機筐体に（撮像レンズをカバーガラスの窓に）精度良く位置決めできず、画像性能と意匠性が劣化し、携帯電話機を薄型化できないという問題があった。
【００１０】
本発明は、このような従来の問題を解決するためになされたものであり、固体撮像装置の鏡筒と携帯電話機筐体との位置精度を上げ、固体撮像装置を携帯電話機筐体に少ない空間で精度良く取り付けることによって、画像性能および意匠性の向上を図り、携帯電話機の薄型化を可能にすることを目的とするものである。
【００１１】
【課題を解決するための手段】
本発明の請求項１記載の固体撮像装置は、
撮像レンズおよび光学フィルタを支持する鏡筒と、上記鏡筒および固体撮像素子が固定された基板とを備え、
上記鏡筒に、該鏡筒の円筒部からなる第１の取り付け部及び光軸と垂直な方向に延びるリブが設けられており、さらにこのリブに第２の取り付け部が設けられており、
上記第１の取り付け部を撮像機器の筐体に設けられた第１の位置決め部に挿嵌して取り付けることによって、上記筐体に対して高さ方向と垂直な方向の位置決めがなされ、
上記第２の取り付け部を撮像機器の筐体に設けられた第２の位置決め部に挿嵌することによって、上記筐体に対して回転方向の位置決めがなされて
上記撮像機器に装着されることを特徴とするものである。
【００１２】
請求項２記載の固体撮像装置は、
撮像レンズおよび光学フィルタを支持する鏡筒と、上記鏡筒および固体撮像素子が固定された基板とを備え、
上記鏡筒に、該鏡筒の円筒部からなる第１の取り付け部及び光軸と垂直な方向に延びるリブが設けられており、さらにこのリブに第２の取り付け部が設けられており、
上記第１の取り付け部を撮像機器の筐体にあらかじめ取り付けられた構造部品に設けられた第１の位置決め部に挿嵌して取り付けることによって、上記筐体に対して高さ方向と垂直な方向の位置決めがなされ、
上記第２の取り付け部を撮像機器の構造部品に設けられた第２の位置決め部に挿嵌することによって、上記筐体に対して回転方向の位置決めがなされて
上記撮像機器に装着されることを特徴とするものである。
【００１３】
請求項３記載の固体撮像装置は、請求項１または２において、上記リブに設けられる第２の取り付け部は、光軸と平行な方向に延びるピンであることを特徴とするものである。
【００１４】
請求項４記載の固体撮像装置は、請求項３において、上記ピンが複数設けられており、
これらのピンを上記第２の位置決め部にそれぞれ挿嵌することによって、上記筐体に対して高さ方向と垂直な方向および回転方向の位置決めがなされる
ことを特徴とするものである。
【００１５】
請求項５記載の固体撮像装置は、請求項１または２において、
上記リブに設けられる第２の取り付け部は、上記リブ自体であり、
該リブを上記第２の位置決め部に挟合させる
ことを特徴とするものである。
【００１６】
請求項６記載の固体撮像装置は、請求項５において、
上記リブが複数設けられており、
これらのリブを上記第２の位置決め部にそれぞれ挟合させることによって、上記筐体に対して高さ方向と垂直な方向および回転方向の位置決めがなされる
ことを特徴とするものである。
【００２２】
また、本発明の請求項７記載の撮像機器は、請求項１から６までのいずれかに記載の固体撮像装置を備えたことを特徴とするものである。
【００２３】
【発明の実施の形態】
本発明の実施の形態について、携帯電話機を例にとって説明する。
実施の形態１．
図１は本発明の実施の形態１の固体撮像装置を携帯電話機に装着したときの断面図である。図１において、１は鏡筒、１ａは鏡筒１の円筒部（取り付け部）、１ｂは鏡筒１の天面（取り付け部）、２は基板、４は固体撮像素子、５は撮像レンズ、６は光学フィルタ、７は携帯電話機のカバーガラス、８はカバーガラス７に形成された窓、９は携帯電話機筐体、９ａ，９ｂは筐体９に設けられた位置決め部、１０は鏡筒１に設けられたピン（取り付け部）、１２は固体撮像装置である。
【００２４】
携帯電話機筐体９には、カバーガラス７が取り付けられている。このカバーガラス７には、入射光を透過させる窓８が形成されている。
【００２５】
図１の固体撮像装置１２は、ピン１０を設けた鏡筒１と、基板２と、固体撮像素子４と、撮像レンズ５と、光学フィルタ６とによって構成されている。
【００２６】
撮像レンズ５および光学フィルタ６は、それぞれ鏡筒１の円筒部１ａに支持固定されている。これらの撮像レンズ５および光学フィルタ６は、上記入射光による被写体像を固体撮像素子４上に結像させる。
【００２７】
鏡筒１および固体撮像素子４は、それぞれ基板２に支持固定されている。固体撮像素子４は、上記被写体像を撮像する。
【００２８】
携帯電話機筐体９には、位置決め部９ａが設けられている。この位置決め部９ａに鏡筒１の円筒部１ａを挿嵌することによって、固体撮像装置１２は、固体撮像装置の撮像レンズ５の中心を携帯電話機筐体９に取り付けられたカバーガラス７の窓８の中心に合わせて、携帯電話機筐体９に対して高さ方向と垂直な方向に位置決めされるとともに、携帯電話機に保持される。
【００２９】
また、鏡筒１の本体部天面１ｂを携帯電話機筐体９の位置決め部９ｂに当接させることによって、固体撮像装置１２は、携帯電話機筐体９に対して高さ方向に位置決めされる。
【００３０】
さらに、鏡筒１の本体部天面１ｂには、光軸に平行な方向（携帯電話機筐体９に対しては高さ方向）に延びるピン１０が設けられており、携帯電話機筐体９には、位置決め部９ｂが設けられている。鏡筒１のピン１０を携帯電話機筐体９の位置決め部９ｂに挿嵌することによって、固体撮像装置１２は、携帯電話機筐体９に対して回転方向に位置決めされるとともに、携帯電話機に保持される。
【００３１】
このように、鏡筒１の取り付け部（円筒部１ａ、本体部天面１ｂ、およびピン１０）を携帯電話機筐体９の位置決め部９ａ，９ｂに取り付けることによって、固体撮像装置１２は、撮像レンズ５およびカバーガラス７の近傍において、携帯電話機に装着される。
【００３２】
鏡筒１の円筒部１ａを携帯電話機筐体９の位置決め部９ａに挿嵌することにより、撮像レンズ５と窓８の光軸に垂直な方向の位置決めのばらつき要因は、
（１）鏡筒１の円筒部１ａと携帯電話機筐体９の位置決め部９ａの隙間
（２）携帯電話機筐体９とカバーガラス７の取り付け精度
（３）カバーガラス７においての窓８の位置ばらつき
となるので、ばらつき要因を最少にでき、固体撮像装置１２の鏡筒１を携帯電話機筐体９に対して高さ方向と垂直な方向に精度良く位置決めできる。これにより、良好な画像性能および意匠性を得ることができる。
【００３３】
鏡筒１、カバーガラス７、携帯電話機筐体９等を構成している部品は、寸法精度の出しやすい樹脂成形品または金属加工品である。
【００３４】
また、鏡筒１の本体部天面１ｂを携帯電話機筐体９の位置決め部９ａに当接させることにより、固体撮像装置１２の鏡筒１を携帯電話機筐体９に対して高さ方向に精度良く位置決めでき、撮像レンズ５とカバーガラス７の距離を一定に保つことができる。これにより、携帯電話機の厚み方向の隙間を最少にでき、携帯電話機の薄型化が可能になる。
【００３５】
さらに、鏡筒１に設けたピン１０を携帯電話機筐体９の位置決め部９ｂに挿嵌することにより、固体撮像装置１２の鏡筒１を携帯電話機筐体９に対して回転方向に精度良く位置決めできる。これにより、さらに良好な画像性能および意匠性を得ることができる。
【００３６】
以上のように実施の形態１によれば、鏡筒１に設けた取り付け部（円筒部１ａ、ピン１０、本体部天面１ｂ）を携帯電話機筐体９に設けた位置決め部９ａ，９ｂに取り付けることにより、鏡筒１と携帯電話機筐体９の位置精度を上げることができるので、良好な画像性能および意匠性を得ることができ、携帯電話機の薄型化が可能になる。
【００３７】
実施の形態２．
図２は本発明の実施の形態２の固体撮像装置を携帯電話機に装着したときの断面図である。図２において、図１と同じものまたはそれに相当するものには同じ符号を付してあり、１１は携帯電話機筐体９に取り付けられた構造部品、１１ａ，１１ｂは構造部品１１に設けられた位置決め部である。
【００３８】
構造部品１１は、携帯電話機筐体９にあらかじめ精度良く位置決めされて取り付けられている。
【００３９】
構造部品１１には、位置決め部１１ａが設けられている。この位置決め部１１ａに鏡筒１の円筒部１ａを挿嵌することによって、固体撮像装置１２は、固体撮像装置の撮像レンズ５の中心を携帯電話機筐体９に取り付けられたカバーガラス７の窓８の中心に合わせて、携帯電話機筐体９に対して高さ方向と垂直な方向に位置決めされるとともに、携帯電話機に保持される。
【００４０】
また、鏡筒１の本体部天面１ｂを構造部品１１の位置決め部１１ａに当接させることによって、固体撮像装置１２は、携帯電話機筐体９に対して高さ方向に位置決めされる。
【００４１】
さらに、構造部品１１には、位置決め部１１ｂが設けられている。この位置決め部１１ｂに鏡筒１のピン１０を挿嵌することによって、固体撮像装置１２は、携帯電話機筐体９に対して回転方向に位置決めされるとともに、携帯電話機に保持される。
【００４２】
このように、鏡筒１の取り付け部（円筒部１ａ、本体部天面１ｂ、およびピン１０）を構造部品１１（携帯電話機筐体９にあからじめ精度良く取り付けられている）の位置決め部１１ａ，１１ｂに取り付けることによって、固体撮像装置１２は、撮像レンズ５およびカバーガラス７の近傍において、携帯電話機に装着される。
【００４３】
鏡筒１の円筒部１ａを構造部品１１の位置決め部１１ａに挿嵌することにより、撮像レンズ５と窓８の位置決めのばらつき要因は、
（１）鏡筒１の円筒部１ａと構造部品１１の位置決め部１１ａの隙間
（３）携帯電話機筐体９とカバーガラス７の取り付け精度
（４）カバーガラス７においての窓８の位置ばらつき
（４）構造部品１１と携帯電話機筐体９の位置決め精度
となるので、ばらつき要因を最少にすることができ、固体撮像装置１２の鏡筒１を携帯電話機筐体９に対して高さ方向と垂直な方向に精度良く位置決めできる。これにより、良好な画像性能および意匠性を得ることができる。
【００４４】
鏡筒１、カバーガラス７、携帯電話機筐体９、構造部品１１等を構成している部品は、寸法精度の出しやすい樹脂成形品または金属加工品である。
【００４５】
また、鏡筒１の本体部天面１ｂを構造部品１１（携帯電話機筐体９にあらかじめ精度良く取り付けられている）の位置決め部１１ａに当接させることにより、撮像レンズ５とカバーガラス７の距離を一定に保つことができる。これにより、携帯電話機の厚み方向の隙間を最少にでき、携帯電話機の薄型化が可能になる。
【００４６】
さらに、鏡筒１に設けたピン１０を構造部品１１の位置決め部１１ｂに挿嵌することにより、固体撮像装置１２を携帯電話機筐体９に対して回転方向に精度良く位置決めできる。これにより、さらに良好な画像性能および意匠性を得ることができる。
【００４７】
以上のように実施の形態２によれば、鏡筒１に設けた取り付け部（ピン１０および天面１ａ）を携帯電話機筐体９にあらかじめ取り付けられている構造部品１１に設けた位置決め部１１ａ，１１ｂに取り付けることにより、鏡筒１と携帯電話機筐体９の位置精度を上げることができるので、良好な画像性能および意匠性を得ることができ、携帯電話機の薄型化が可能になる。
【００４８】
実施の形態３．
図３（ａ）は本発明の実施の形態３の固体撮像装置を携帯電話機に装着したときの斜視図であり、図３（ｂ）は図３（ａ）の分解斜視図である。図３において、図１と同じものまたはそれに相当するものには同じ符号を付してあり、３は鏡筒１に設けられたリブである。
【００４９】
鏡筒１には、光軸に垂直な方向（携帯電話機筐体９に対しては高さ方向に垂直な方向）に延びるリブ３が設けられており、このリブ３には、光軸に平行な方向（携帯電話機筐体９に対しては高さ方向）に延びるピン１０が設けられている。リブ３に設けたピン１０を携帯電話機筐体９の位置決め部９ｂに挿嵌することによって、固体撮像装置１２は、携帯電話機筐体９に対して回転方向に位置決めされるとともに、携帯電話機に保持される。
【００５０】
以上のように実施の形態３によれば、鏡筒１にリブ３を設け、このリブ３に設けた取り付け部（ピン１０）を携帯電話機筐体９の位置決め部９ｂに挿嵌することにより、固体撮像装置１２を携帯電話機筐体９に対して回転方向に精度良く位置決めできる。
【００５１】
なお、上記実施の形態３の固体撮像装置のピン１０を、上記実施の形態２の構造部品１１に設けた位置決め部（位置決め部９ｂに相当するもの）に挿嵌することも可能である。
【００５２】
実施の形態４．
図４（ａ）は本発明の実施の形態４の固体撮像装置を携帯電話機に装着したときの斜視図であり、図４（ｂ）は図４（ａ）の分解斜視図である。図４において、図１と同じものまたはそれに相当するものには同じ符号を付してあり、３は鏡筒１に設けられたリブ（取り付け部）、９ｃは携帯電話機筐体９に設けられた位置決め部である。
【００５３】
鏡筒１には、光軸に垂直な方向（携帯電話機筐体９に対しては高さ方向に垂直な方向）に延びるリブ３が設けられており、携帯電話機筐体９には、位置決め部９ｃが設けられている。鏡筒１設けたリブ３を携帯電話機筐体９の位置決め部９ｃに挟合させることによって、固体撮像装置１２は、携帯電話機筐体９に対して回転方向に位置決めされるとともに、携帯電話機に保持される。
【００５４】
以上のように実施の形態４によれば、鏡筒１に設けた取り付け部（リブ３）を携帯電話機筐体９の位置決め部９ｃに挟合させることにより、固体撮像装置１２を携帯電話機筐体９に対して回転方向に精度良く位置決めできる。
【００５５】
なお、上記実施の形態４の固体撮像装置のリブ３を、上記実施の形態２の構造部品１１に設けた位置決め部（位置決め部９ｃに相当するもの）に挟合させることも可能である。
【００５６】
実施の形態５．
図５は本発明の実施の形態５の固体撮像装置を携帯電話機に装着したときの断面図である。図５において、図１または図３と同じものまたはそれに相当するものには同じ符号を付してあり、９ｄは携帯電話機筐体９に設けられた位置決め部である。なお、位置決め部９ｄの一部は、ピン１０が挿嵌される位置決め部９ｂにもなっている。
【００５７】
この実施の形態５では、リブ３の天面を携帯電話機筐体９の位置決め部９ｄに当接させることによって、固体撮像装置１２は、携帯電話機筐体９に対して高さ方向に位置決めされる。なお、この実施の形態５では、鏡筒１の円筒部１ａが挿嵌される携帯電話機筐体９の位置決め部９ａは、鏡筒１の本体部天面１ｂに当接していない。
【００５８】
以上のように実施の形態５によれば、鏡筒１に設けたリブ３の天面を携帯電話機筐体９の位置決め部９ｄに当接させることにより、固体撮像装置１２の鏡筒１を携帯電話機筐体９に対して高さ方向に精度良く位置決めでき、撮像レンズ５とカバーガラス７の距離を一定に保つことができるので、携帯電話機の厚み方向の隙間を最少にでき、携帯電話機の薄型化が可能になる。
【００５９】
実施の形態６．
図６は本発明の実施の形態６の固体撮像装置を携帯電話機に装着したときの断面図である。図６において、図２または図３と同じものまたはそれに相当するものには同じ符号を付してあり、１１ｄは構造部品１１に設けられた位置決め部である。
【００６０】
この実施の形態６では、リブ３の天面を構造部品１１の位置決め部１１ｄに当接させることによって、固体撮像装置１２は、携帯電話機筐体９に対して高さ方向に位置決めされる。なお、この実施の形態６では、鏡筒１の円筒部１ａが挿嵌される構造部品１１の位置決め部１１ａは、鏡筒１の本体部天面１ｂに当接していない。
【００６１】
以上のように実施の形態６によれば、鏡筒１に設けたリブ３の天面を携帯電話機筐体９にあらかじめ取り付けられている構造部品１１に設けた位置決め部１１ｄに当接させることにより、固体撮像装置１２の鏡筒１を携帯電話機筐体９に対して高さ方向に精度良く位置決めでき、撮像レンズ５とカバーガラス７の距離を一定に保つことができるので、携帯電話機の厚み方向の隙間を最少にでき、携帯電話機の薄型化が可能になる。
【００６２】
実施の形態７．
図７（ａ）は本発明の実施の形態７の固体撮像装置を携帯電話機に装着したときの斜視図であり、図７（ｂ）は図７（ａ）の分解斜視図である。図７において、図１と同じものまたはそれに相当するものには同じ符号を付してあり、１ｃは鏡筒１の本体部、９ｅは位置決め部である。
【００６３】
この実施の形態７の固体撮像装置は、鏡筒１の本体部１ｃを携帯電話機筐体９に設けられた位置決め部９ｅに挿嵌することによって、固体撮像装置１２を光軸に垂直な方向および回転方向に位置決めするようにしたものである。
【００６４】
鏡筒１の本体部１ｃには、３つの角部が形成されており、これら角部を位置決め部９ｅの３つの角部にそれぞれ嵌合させることによって、光軸に垂直な方向のみならず、回転方向にも位置決めできるようになっている。
【００６５】
このように実施の形態７によれば、鏡筒１の本体部１ｃを携帯電話機筐体９に設けられた位置決め部９ｅに挿嵌することにより、固体撮像装置１２を携帯電話機筐体９に対して光軸に垂直な方向および回転方向に精度良く位置決めできる（固体撮像装置１２の光軸位置および回転位置を精度良く位置決めできる）。
【００６６】
なお、上記実施の形態７の固体撮像装置の複数の鏡筒１の本体部１ｃを、上記実施の形態２の構造部品１１に設けた位置決め部（位置決め部９ｅに相当するもの）に挿嵌することも可能である。
【００６７】
実施の形態８．
図８（ａ）は本発明の実施の形態８の固体撮像装置を携帯電話機に装着したときの斜視図であり、図８（ｂ）は図８（ａ）の分解斜視図である。図８において、図３または図７と同じものまたはそれに相当するものには同じ符号を付してあり、９ｆは位置決め部である。
【００６８】
この実施の形態８の固体撮像装置は、鏡筒１の本体部１ｃを携帯電話機筐体９に設けられた位置決め部９ｆに挿嵌するとともに、鏡筒１に３つ設けられたリブ３を位置決め部９ｆに３つ設けられた溝にそれぞれ挟合させ、リブ３の天面を位置決め部９ｆの上記溝に当接させることによって、固体撮像装置１２を、光軸に平行な方向、光軸に垂直な方向、および回転方向に位置決めするようにしたものである。
【００６９】
このように実施の形態８によれば、鏡筒１の本体部１ｃを携帯電話機筐体９に設けられた位置決め部９ｆに挿嵌するとともに、鏡筒１に設けたリブ３を位置決め部９ｆに設けられた溝にそれぞれ挟合させ、リブ３の天面を位置決め部９ｆの上記溝に当接させることにより、固体撮像装置１２を携帯電話機筐体９に対して、高さ方向、高さ方向と垂直な方向、および回転方向に精度良く位置決めできる（固体撮像装置１２の高さ、光軸位置、および回転位置を精度良く位置決めできる）。
【００７０】
なお、上記実施の形態８の固体撮像装置を、上記実施の形態２の構造部品１１に設けた位置決め部（位置決め部９ｆに相当するもの）に取り付けることも可能である。
【００７１】
実施の形態９．
図９（ａ）は本発明の実施の形態９の固体撮像装置を携帯電話機に装着したときの斜視図であり、図９（ｂ）は図９（ａ）の分解斜視図である。図９において、図３と同じものまたはそれに相当するものには同じ符号を付してある。
【００７２】
この実施の形態９の固体撮像装置は、上記実施の形態３において、鏡筒１に３つ設けられたリブ３の内の２つのリブ３にそれぞれピン１０を設け、これらのピン１０を携帯電話機筐体９に２つ設けられた位置決め部９ｂにそれぞれ挿嵌することによって、固体撮像装置１２を、携帯電話機筐体９に対して光軸に垂直な方向および回転方向に位置決めするようにしたものである。
【００７３】
このように実施の形態９によれば、鏡筒１に複数設けられたリブ３にピン１０を複数設け、これらのピン１０を携帯電話機筐体９に複数設けられた位置決め部９ｂにそれぞれ挿嵌することにより、固体撮像装置１２を携帯電話機筐体９に対して光軸に垂直な方向および回転方向に精度良く位置決めできる（固体撮像装置１２の光軸位置および回転位置を精度良く位置決めできる）。
【００７４】
なお、上記実施の形態９の固体撮像装置の複数のピン１０を、上記実施の形態２の構造部品１１に複数設けた位置決め部（位置決め部９ｂに相当するもの）にそれぞれ挿嵌することも可能である。
【００７５】
さらには、上記実施の形態１または２の固体撮像装置の鏡筒１の本体部天面１ｂに複数のピン１０を設け、筐体９または構造部品１１に複数設けた位置決め部（位置決め部９ｂに相当するもの）にそれぞれ挿嵌することも可能である。
【００７６】
実施の形態１０．
図１０（ａ）は本発明の実施の形態１０の固体撮像装置を携帯電話機に装着したときの斜視図であり、図１０（ｂ）は図１０（ａ）の分解斜視図である。図１０において、図４と同じものまたはそれに相当するものには同じ符号を付してある。
【００７７】
この実施の形態１０の固体撮像装置は、上記実施の形態４において、鏡筒１に３つ設けられたリブ３を、携帯電話機筐体９に３つ設けられた位置決め部９ｃにそれぞれ挟合させることによって、固体撮像装置１２を光軸に垂直な方向および回転方向に位置決めするようにしたものである。
【００７８】
このように実施の形態１０によれば、鏡筒１に複数設けたリブ３を携帯電話機筐体９の複数設けられた位置決め部９ｃにそれぞれ挟合させることにより、固体撮像装置１２を携帯電話機筐体９に対して高さ方向と垂直な方向および回転方向に精度良く位置決めできる（固体撮像装置１２の光軸位置および回転位置を精度良く位置決めできる）。
【００７９】
なお、上記実施の形態１０の固体撮像装置の複数のリブ３を、上記実施の形態２の構造部品１１に複数設けた位置決め部（位置決め部９ｃに相当するもの）にそれぞれ挟合させることも可能である。
【００８０】
実施の形態１１．
図１１（ａ）は本発明の実施の形態１１の固体撮像装置を携帯電話機に装着したときの斜視図であり、図１１（ｂ）は図１１（ａ）の分解斜視図である。図１１において、図３または図４と同じものまたはそれに相当するものには同じ符号を付してある。
【００８１】
この実施の形態１１の固体撮像装置は、上記実施の形態３または４において、鏡筒１に３つ設けられたリブ３の内の１つのリブ３にピン１０を設け、このピン１０を携帯電話機筐体９に１つ設けられた位置決め部９ｂに挿嵌するとともに、ピン１０を設けていない残りの２つのリブ３を携帯電話機筐体９に２つ設けられた位置決め部９ｃにそれぞれ挟合させることによって、固体撮像装置１２を光軸に垂直な方向および回転方向に位置決めするようにしたものである。
【００８２】
このように実施の形態１１によれば、鏡筒１に複数設けられたリブ３の少なくとも１つにピン１０を設け、ピン１０を携帯電話機筐体９に少なくとも１つ設けられた位置決め部９ｂにそれぞれ挿嵌するとともに、ピン１０を設けていない残りの少なくとも１つのリブ３を携帯電話機筐体９に少なくとも１つ設けられた位置決め部９ｃにそれぞれ挟合させることにより、固体撮像装置１２を携帯電話機筐体９に対して高さ方向と垂直な方向および回転方向に精度良く位置決めできる（固体撮像装置１２の光軸位置および回転位置を精度良く位置決めできる）。
【００８３】
なお、上記実施の形態１１の固体撮像装置を、上記実施の形態２の構造部品１１に取り付けることも可能である。
【００８４】
【発明の効果】
以上説明したように、本発明の請求項１乃至３記載の固体撮像装置およびこの固体撮像装置を備えた撮像機器によれば、鏡筒に設けた第１の取り付け部を撮像機器筐体またはその構造部品に設けた第１の位置決め部に取り付けることにより、鏡筒と撮像機器筐体の位置精度を上げることができるので、良好な画像性能および意匠性を得ることができ、撮像機器の薄型化が可能になるという効果に加えて、鏡筒のリブに設けた第２の取り付け部（ピン）を撮像機器筐体またはその構造部品の第２の位置決め部に挿嵌することにより、鏡筒を撮像機器筐体に対して回転方向に精度良く位置決めできるという効果がある。
【００９０】
請求項４記載の固体撮像装置およびこの固体撮像装置を備えた撮像機器によれば、複数設けたピンを撮像機器筐体またはその構造部品の位置決め部にそれぞれ挿嵌することにより、鏡筒を撮像機器筐体に対して高さ方向と垂直な方向および回転方向に精度良く位置決めできるという効果がある。
【００９１】
請求項５記載の固体撮像装置およびこの固体撮像装置を備えた撮像機器によれば、鏡筒に設けたリブを撮像機器筐体またはその構造部品の位置決め部に挟合させることにより、鏡筒を撮像機器筐体に対して回転方向に精度良く位置決めできるという効果がある。
【００９２】
請求項６記載の固体撮像装置およびこの固体撮像装置を備えた撮像機器によれば、複数設けたリブを撮像機器筐体またはその構造部品の位置決め部に挟合させることにより、鏡筒を撮像機器筐体に対して高さ方向と垂直な方向および回転方向に精度良く位置決めできるという効果がある。
【００９３】
また、鏡筒に設けたリブの天面を撮像機器筐体またはその構造部品の位置決め部に当接させることにより、鏡筒を撮像機器筐体に対して高さ方向に精度良く位置決めできるという効果がある。
【図面の簡単な説明】
【図１】  本発明の実施の形態１の固体撮像装置を携帯電話機に装着したときの断面図である。
【図２】  本発明の実施の形態２の固体撮像装置を携帯電話機に装着したときの断面図である。
【図３】  本発明の実施の形態３の固体撮像装置を携帯電話機に装着したときの斜視図である。
【図４】  本発明の実施の形態４の固体撮像装置を携帯電話機に装着したときの斜視図である。
【図５】  本発明の実施の形態５の固体撮像装置を携帯電話機に装着したときの断面図である。
【図６】  本発明の実施の形態６の固体撮像装置を携帯電話機に装着したときの断面図である。
【図７】  本発明の実施の形態７の固体撮像装置を携帯電話機に装着したときの斜視図である。
【図８】  本発明の実施の形態８の固体撮像装置を携帯電話機に装着したときの斜視図である。
【図９】  本発明の実施の形態９の固体撮像装置を携帯電話機に装着したときの斜視図である。
【図１０】  本発明の実施の形態１０の固体撮像装置を携帯電話機に装着したときの斜視図である。
【図１１】  本発明の実施の形態１１の固体撮像装置を携帯電話機に装着したときの斜視図である。
【符号の説明】
１  鏡筒、  １ａ  円筒部、  １ｂ  本体部天面、  １ｃ  本体部、  ２  基板、  ３  リブ、  ４  固体撮像素子、  ５  撮像レンズ、  ６  光学フィルタ、  ７  カバーガラス、  ８  窓、  ９  携帯電話機筐体、  ９ａ，９ｂ，９ｃ，９ｄ，９ｅ，９ｆ  位置決め部、  １０  ピン、  １１  構造部品、  １１ａ，１１ｂ，１１ｄ  位置決め部、  １２  固体撮像装置。
【図１】
0003957547.tif 000002
【図２】
0003957547.tif 000003
【図３】
0003957547.tif 000004
【図４】
0003957547.tif 000005
【図５】
0003957547.tif 000006
【図６】
0003957547.tif 000007
【図７】
0003957547.tif 000008
【図８】
0003957547.tif 000009
【図９】
0003957547.tif 000010
【図１０】
0003957547.tif 000011
【図１１】
0003957547.tif 000012